(57)【特許請求の範囲】
【請求項１】
（ｉ）複数のデータケーブルと、それぞれが前記複数のデータケーブルのうちの一つに対応づけられ、各データケーブルの第１の端部が終端接続された複数の第１単体ジャックを備える多ジャックアセンブリと、それぞれが前記複数のデータケーブルのうちの一つに対応づけられ、各データケーブルの前記多ジャックアセンブリから遠い方の第２の端部が終端接続された複数の第２単体ジャックと、前記複数のデータケーブルの前記第２単体ジャックとの終端接続を敷設時の偶発的な損傷から保護するように前記第２単体ジャックとの終端接続を囲む保護筐体とを備える構造的ケーブル配線システムを工場環境で複数個予め形成し、
（ｉｉ）構造的ケーブル配線の敷設を必要とする現場に、予め形成した前記構造的ケーブル配線システムを搬送し、
（ｉｉｉ）第一の所望の位置に前記構造的ケーブル配線システムの多ジャックアセンブリを配置すると共に第二の所望の位置にその遠い方の端部を配置するように、前記各構造的ケーブル配線システムを設置し、
（ｉｖ）ラックに前記多ジャックアセンブリを固定し、
（ｖ）前記第２単体ジャックをその所望の最終的使用位置に固定することを特徴とする構造的ケーブル配線方法。
【請求項２】
前記ラックに前記多ジャックアセンブリを固定する工程において、前記ラックのハウジングの背面から多ジャックアセンブリを設け、前記ハウジングに前記多ジャックアセンブリを固定することを特徴とする請求項１に記載の構造的ケーブル配線方法。
【請求項３】
前記ラックのハウジングに前記多ジャックアセンブリを固定する工程において、スナップ嵌合コネクタ、好ましくは、解除自在のスナップ嵌合コネクタによって、前記多ジャックアセンブリを固定することを特徴とする請求項２に記載の構造的ケーブル配線方法。
【請求項４】
各構造的ケーブル配線システムごとに、前記複数のデータケーブルをまとめて前記保護筐体に機械的接続によって接続することによって、前記複数のデータケーブルを引き回す際に、前記保護筐体を引っ張ることで、前記各データケーブルと前記第２単体ジャックとの電気的接続に歪力が加わらないように前記複数のデータケーブルを引き回すことができるよう構成されていることを特徴とする請求項１から３のいずれか一項に記載の構造的ケーブル配線方法。
【請求項５】
各構造的ケーブル配線システムごとに、前記複数のデータケーブルをまとめて前記多ジャックアセンブリのハウジングに機械的接続によって接続することによって、前記複数のデータケーブルを引き回す際に、前記多ジャックアセンブリのハウジングを引っ張ることで、前記各データケーブルと前記多ジャックアセンブリの前記第１単体ジャックとの電気的接続に歪力が加わらないように前記複数のデータケーブルを引き回すことができるよう構成されていることを特徴とする請求項１から４のいずれか一項に記載の構造的ケーブル配線方法。
【請求項６】
各構造的ケーブル配線システムが、前記保護筐体および／または前記多ジャックアセンブリのハウジングに機械的に固定された歪み逃がし部材を備えることを特徴とする請求項１から５のいずれか一項に記載の構造的ケーブル配線方法。
【請求項７】
各構造的ケーブル配線システムが、前記ラックのハウジングに前記多ジャックアセンブリを固定する固定手段を備えることを特徴とする請求項１から６のいずれか一項に記載の構造的ケーブル配線方法。
【請求項８】
前記固定手段がスナップ嵌合手段を備えることを特徴とする請求項７に記載の構造的ケーブル配線方法。
【請求項９】
前記ラックのハウジングから前記多ジャックアセンブリを取り外せるように、前記スナップ嵌合手段が解除自在であることを特徴とする請求項８に記載の構造的ケーブル配線方法。
【請求項１０】
前記固定手段が前記ラックのハウジングの正面から前記ラックのハウジングに押込嵌合されたアダプタを備え、前記アダプタが前記多ジャックアセンブリの固締手段と相互係合する相互係合手段を備え、前記固締手段が前記ラックのハウジングに前記多ジャックアセンブリを固定することを特徴とする請求項７から９のいずれか一項に記載の構造的ケーブル配線方法。
【請求項１１】
前記相互係合手段が解除自在のスナップ嵌合ラッチを備えることを特徴とする請求項１０に記載の構造的ケーブル配線方法。
【請求項１２】
前記保護筐体が、前記第２単体ジャックがその最終的に使用される配置で取り付けられる取り付け部を構成することを特徴とする請求項１から１１のいずれか一項に記載の構造的ケーブル配線方法。
【請求項１３】
各構造的ケーブル配線システムが、前記保護筐体が床や壁のボックスとスナップ係合できるように前記保護筐体に設けられたラッチ手段を備えることを特徴とする請求項１２に記載の構造的ケーブル配線方法。
【請求項１４】
前記保護筐体が、前記多ジャックアセンブリとほぼ同じ別の多ジャックアセンブリであることを特徴とする請求項１から１３のいずれか一項に記載の構造的ケーブル配線方法。
【発明の詳細な説明】
【技術分野】
【０００１】
本発明は、建物内に構造的ケーブル配線を敷設する構造的ケーブル配線システムおよび構造的ケーブル配線方法に関する。
【背景技術】
【０００２】
建物中に音声／データ情報を配信する構造的ケーブル配線システムは周知である。通常、カテゴリ５（Ｃａｔ５）やカテゴリ５ｅ（Ｃａｔ５ｅ）のシステムはラックマウント式のパッチパネルを一つ以上備え、各パッチパネルは複数のＲＪ４５ジャックを有する。各パッチパネルの各ジャックには、一本のデータケーブルが接続される。各データケーブルのパッチパネルから遠い方の端部には、通常床のボックスや壁のアウトレットに取り付けられているジャックが接続される。
【０００３】
従来から、上記のような構造的ケーブル配線システムの設置は、まず、床や壁のアウトレットを必要とする各所と通信室の間に、ケーブルリールから切断した複数本のケーブルを引くことによって行われている。ケーブルを識別するため、一時的にケーブルにラベルを貼る。通常、ケーブルの敷設は建設準備の初期段階で行われ、未熟練の作業員によって行われることがある。準備の後期段階で、ラックシステムを通信室に設置する。通信室のケーブルの端部を適当な長さに切断し、予め付けられたケーブルのラベル表示を考慮して、各ケーブルをパッチパネルの適切なジャックに終端接続する。次に、各ケーブルの遠い方の端部を床や壁のボックスのジャックに終端接続し、各ケーブルおよびその接続について試験を行う。欠陥を修正した後、パッチパネルをラックに固定する。
【発明の開示】
【発明が解決しようとする課題】
【０００４】
上記のような既存の構造的ケーブル配線の敷設方法には、よく知られた欠点がいくつかある。特に、現地条件下で、ケーブルをパッチパネルおよび遠い方のジャックに終端接続する際、多少問題がある。熟練した作業員は必要な終端接続を確実に行う必要があり、終端接続が試験基準を満たしていない場合、再び終端接続を行わなければならない。現場で構造的ケーブル配線システムを設置するにはかなりの時間を要するので、結果的に不便になると共にコストがかかる。現場での試験は難しく、時間がかかる。Ｃａｔ５やＣａｔ５ｅの基準で設置を行う場合、これらの問題は大きい。但し、カテゴリ６（Ｃａｔ６）の基準で設置を行う場合や光ファイバの設置を行う場合、これらのシステムの現地条件下で必要な終端接続の質を得ることは非常に困難なので、問題はかなり悪化する。
【課題を解決するための手段】
【０００５】
そこで、我々は、上記の問題点や欠点の多くを解決する構成を考案した。本発明の好適な実施形態は、必要なすべての終端接続と試験を工場条件下で行う構造的ケーブル配線システムを提供する。工場条件下で要求基準に基づいて終端接続を行うことは、現地条件下で要求基準に基づいて終端接続を行う試みよりもかなり容易である。さらに、工場条件下で行われる性能試験は、現場の機器を用いて行う場合よりもかなり迅速かつ正確である。修正が必要な場合、現地条件下よりも工場条件下で行う方が容易である。現場での設置作業はかなり迅速になり、また、未熟練や半熟練の作業員によって行うことができる。
【０００６】
本発明の第一の側面によると、各データケーブルごとに単体ジャックを備える多ジャックアセンブリに終端接続された複数のケーブルと、ジャックモジュールから遠い方の端部で各データケーブルに終端接続された単体ジャックと、敷設時の偶発的な損傷から終端接続を保護するように前記単体ジャックとの終端接続を囲む保護筐体とを備えることを特徴とする構造的ケーブル配線システムを提供する。
【０００７】
本発明の一実施形態において、状況に応じて、前記保護筐体または前記多ジャックアセンブリを引っ張ることによって前記ケーブルを引っ張ることができる機械的接続によって、前記ケーブルに前記保護筐体および／または前記多ジャックアセンブリをケーブルに接続する。
【０００８】
本発明の一実施形態において、歪み逃がし部材の周囲にデータケーブルを敷設して複合ケーブルを形成する。このような構成の場合、多ジャックアセンブリ、データケーブル、単体ジャック、保護筐体から構成される完全なアセンブリを工場条件下で組み立て、一つの装置として現場に搬送することができる。この現場で、ラックに多ジャックアセンブリを固定し、保護筐体を用いてケーブルを建物内に引っ張り単体ジャックの所望の位置に隣接する位置まで導くことができる。次に、保護筐体を取り外し、単体データケーブルをほぐし、壁付きアウトレットや床付きアウトレットにおいて単体ジャックの必要な位置決めを行うことができる。代替例として、一つのアウトレット構造、例えば、一つの床のボックスに単体ジャックを取り付けてもよい。本発明の一実施形態において、敷設工程終了後も保護筐体は取り外されず、むしろ適所に留まり単体ジャックとの終端接続を保護する。このような状況で、専用の壁や床のボックスにスナップ嵌合することによって単体ジャックおよび保護筐体を一緒に固定し、複数の隣接する単体ジャックを設けることができる。データケーブルの終端接続に影響を及ぼさず、また、接続に機械歪みを加えずに、作業全体を完了することができる。
【０００９】
歪み逃がし部材を用いる場合、多ジャックアセンブリの本体に歪み逃がし部材を固定してもよい。この場合、多ジャックアセンブリに引張力を印加することによって、反対方向、すなわち、壁や床のアウトレットから通信室に向けてケーブルを引っ張ることができる。
【００１０】
複数の多ジャックアセンブリを収容するハウジングを設け、多ジャックアセンブリを適所に配置したとき、その結果得られるハウジングと多ジャックアセンブリとを組み合わせたものが従来のラックマウント式のパッチパネルと同様の外観を有するように構成することが好ましい。多ジャックアセンブリがハウジングにスナップ嵌合し、例えばリリースラッチを外すことによってハウジングから容易に外せることが好ましい。多ジャックアセンブリがジャックおよび終端接続取付部を収容する筐体を備え、複合ケーブルに固定されて確実に歪みを逃がすことが好ましい。
【００１１】
特に好適な構成において、ハウジングの背後に多ジャックアセンブリを設け、その多ジャックアセンブリを適所にクリップ留めすることによって、ハウジングに多ジャックアセンブリを接続する。したがって、単体ジャック、保護筐体、または、データケーブルをラックマウント式のハウジングに供給する必要がない。
【００１２】
本発明の一実施形態において、ケーブルアセンブリの両端部を多ジャックアセンブリに終端接続する。多ジャックアセンブリは互いに同じものでもよい。このような構成の場合、ラックアセンブリのキャリヤの適所に多ジャックアセンブリをスナップ留めし、同じ通信室や通信キャビネットまたは互いに異なる通信室や通信キャビネットの内部にあるパッチパネルを相互接続させることができる。
【００１３】
例として挙げた以下の本発明の好適な実施形態の説明および添付図面の参照から本発明をより良く理解できるであろう。
【発明を実施するための最良の形態】
【００１４】
まず、図１を参照すると、六個の単体ジャック２Ａ〜２Ｆを備える多ジャックアセンブリ１が示されている。各ジャックはＰＣＢ（Ｐｒｉｎｔｅｄ  Ｃｉｒｃｕｉｔ  Ｂｏａｒｄ（プリント配線基板））３に搭載され、それぞれのＩＤＣ（Ｉｎｓｕｌａｔｉｏｎ  Ｄｉｓｐｌａｃｅｍｅｎｔ  Ｃｏｎｔａｃｔ（圧接））コネクタ４を備える。ジャックとＰＣＢはケーシング５の内部に取り付けられている。尚、ケーシング５は、その基部のみが図１に示されている。また、ケーシング５は、使用時、ジャック、ＰＣＢ、ＩＤＣコネクタを収容するように基部とスナップ嵌合するカバーを備える。ケーシングの基部とカバーのスナップ嵌合によって、単体データケーブル６Ａ〜６Ｆを把持し、歪みを逃がすことができる。または、適宜のクランプ手段によって基部に単体ケーブルを固定してもよい。六本のデータケーブル６Ａ〜６Ｆは、当該設置作業の要求基準（通常、Ｃａｔ５、Ｃａｔ５ｅ、または、Ｃａｔ６）に基づいて、ジャック２Ａ〜２ＦのそれぞれのＩＤＣコネクタに終端接続されている。終端接続、および、ケーシングカバーのケーシング基部への固定は、工場条件下で完了する。
【００１５】
ここで図２を参照すると、データケーブル６Ａ〜６Ｆの図１に示す部分から遠い方の端部領域が示されている。単体ケーブルが複合ケーブル７を構成することが分かる。尚、複合ケーブル７が、単体ケーブル６Ａ〜６Ｆの他に、中心歪み逃がし部材８を備えることが好ましい。単体データケーブル６Ａ〜６Ｆは、それぞれ、関連するＩＤＣコネクタを介して単体ジャック９Ａ〜９Ｆに終端接続されている。単体ジャックは保護筐体１１の基部１０の内部に配置されるが、要すれば、その内部に仮固定される。クランプ１２によって基部に複合ケーブル７を固定して、確実に応力を逃がす。これに加えて、または、これに代わって、歪み逃がし部材８を保護筐体の基部１０に固定して、歪みを逃がしてもよい。要すれば、ジャックアセンブリ１のケーシング５にこの逃がし部材８を固定して、その位置で歪みを逃がしてもよい。
【００１６】
使用時、保護筐体１１は、基部１０とスナップ嵌合するカバーによって閉じられる。筐体は単体ジャック９Ａ〜９Ｆを保護し、単体ケーブルとＩＤＣコネクタとの終端接続に歪力を印加せずに複合ケーブルに歪力を印加することができる。プリングアイ１２を保護筐体に形成して、牽引ロープを保護筐体に取り付けることが好ましい。または、適宜の歪み逃がしを多ジャックアセンブリの端部で行う場合、牽引ロープを多ジャックアセンブリに取り付けて、多ジャックアセンブリをその目的の位置に向けて引っ張るようにしてもよい。
【００１７】
単体データケーブル６Ａ〜６Ｆが複合ケーブル７を構成する正確な位置は、当該データケーブルの敷設がどういう類のものかによって左右される。しかしながら、多ジャックアセンブリ１と保護筐体１１間の距離の大部分にわたって、ケーブルは一本の複合ケーブル状であり、完成したアセンブリの取り扱いを容易にする。場合によっては、単体ケーブルの敷設作業によって、必要な構造保全性を有する複合ケーブルを形成する。しかしながら、一般に、複合ケーブルを複合状に保持する手段を設けることが想定される。このような手段として、例えば、適宜のフィルム材料でケーブルを上包みしてもよい。複合ケーブルに含まれる単体ケーブルのいずれにも過度の歪力を加えずに複合ケーブルを曲げる必要があることを十分顧慮して、ケーブルを複合状に保持するために用いる手段を選択する。
【００１８】
単体データケーブルと単体ジャック９Ａ〜９Ｆとの終端接続およびその後の試験は、工場条件下で行われる。
【００１９】
多ジャックアセンブリ、データケーブル、単体ジャック、保護筐体から構成される完全なケーブル配線アセンブリの形成および試験を工場条件下で行った後、このアセンブリを現場に搬送する。この搬送を行うために、キャリヤを設けることが好ましい。このキャリヤが、データケーブルを収容するドラムと、多ジャックアセンブリおよび保護筐体を収容・保持する手段とを備えることが好ましい。ケーブルアセンブリの長さにもよるが、同じ配送装置に完成したケーブルアセンブリを数個搭載してもよい。適宜の手段、例えば、道路輸送によって、キャリヤを現場に搬送し、構造的ケーブル配線の敷設を必要とする一般的な場所に持っていく。一般に、通信室や通信キャビネットにラック装置を設ける。本発明の好適な実施形態の場合、ラックは複数の単体ハウジング１３（図４）を備え、各ハウジング１３の内部には、数個の多ジャックアセンブリを取り付けることができる。ハウジング１３の背面まで多ジャックアセンブリ１を設けることによって、必要な取り付けを行うことが好ましい。本発明の好適な実施形態では、ハウジング１３の正面からハウジング１３まで、プラスチックアダプタ１４（ラベル付け機構１５を内蔵してもよい）を設けた後、ハウジングの背面から多ジャックアセンブリ１をアダプタ１４とスナップ嵌合させる。この構成は図５に示されている。リリースレバー３７を設ける。リリースレバー３７を滑動させてスナップ嵌合ラッチ３８を外すことによって、多ジャックアセンブリをその関連するハウジングから外すことができる。ハウジング１３の背後からハウジング１３まで、多ジャックアセンブリを上記ラッチ装置と共に設けることができることは、多ジャックアセンブリの設置、および、通信キャビネットからの多ジャックアセンブリの取り外しに非常に役立つ。完成した構造的ケーブル配線設備において、通信キャビネットの内部に多くのケーブルを設置し、また、背後から単体の多ジャックアセンブリを容易に着脱できることが非常に有用であることが分かる。実際、ラッチ３８と滑動リリースレバー３７とを備える構成は、本明細書中に記載の構造的ケーブル配線アセンブリ以外の用途においても汎用性がある。
【００２０】
関連するハウジング１３内の目的の位置に多ジャックアセンブリ１をスナップ嵌合した後、従来の手段や図３に示すような専用クリップ１６を用いて、通信筐体内にデータケーブルを案内する。次に、ケーブルアセンブリの残りの部分、例えば、単体ジャック９Ａ〜９Ｆ等を建造物内に引っ張り、ジャック（９Ａ〜９Ｆ）の最終目的位置に隣接する位置まで導く。次に、保護筐体を取り外し、単体データケーブルを複合ケーブルからほぐし、ジャックをそれぞれの最終目的位置に持っていく。次に、床や壁のボックス内の適宜のマウントにジャックをスナップ嵌合する。
【００２１】
データケーブルとそれに関連するジャックとの終端接続を妨げずに、上記のようなデータケーブル敷設工程全体を現場で行うことができることが分かる。さらに、完成した設備を現場で試験する必要がない。
【００２２】
一般に、多ジャックアセンブリをその関連するハウジングに設置し、次に、ケーブルを所望の位置に敷設することによって、通信キャビネットや通信室からケーブル敷設作業を開始することが望ましいが、場合によっては、アセンブリの単体ジャックの端部でケーブル敷設作業を開始し、多ジャックアセンブリを適所に固定した通信キャビネットや通信室にケーブルを敷設することが望ましいこともある。
【００２３】
本発明の一実施形態において、データケーブルは一対ずつ設けられ、ケーブルは共通線上で互いに接続され、その断面形状は略「８」の字状である。図示する本発明の実施形態の六本のケーブルを設けるためには、歪み逃がし部材８の周囲にこのような「８」の字状のケーブル対を三対敷設する。このようにして得られたケーブル束は、適宜の手段、例えば、接着や接合によって、まとめて固定することができる。図示するような六本のケーブルを備える構成の場合、異なる三対の「８」の字状のケーブルは、それぞれ、互いに異なる色を有することができる。各対の一方のデータケーブルが、適宜の表示、例えば、連続する印字文やほぼ連続する印字文を有することが好ましい。この手段によって、目視検査によって多ジャックアセンブリのジャックのうち特定の一つに各単体ジャック９を容易に対応付けることができる。
【００２４】
本発明の実施形態の代替例として、中心歪み逃がし部材の周囲に単体ケーブルを六本敷設する。単体ケーブルは適宜の種類でよい。ケーブルが、例えば、各ケーブルに連続的に印字された表示の形態、あるいは、着色または隆起した識別帯や識別突起の形態を取る、突き合わせ識別手段を備えることが好ましい。これは、多ジャックアセンブリのどのジャックをケーブルアセンブリの遠い方の端部のどの単体ジャックに接続するかを識別するのに役立つ。しかしながら、すべての終端接続を工場条件下で行う場合、必ずしもケーブルの識別文字を用いる必要はない。各ジャックには、多ジャックアセンブリのどのジャックを構造的ケーブルアセンブリの遠い方の端部のどのジャックに接続するかを識別するのに用いることができる指標が対応付けられていることが好ましい。この指標はラベル付けシステムの形態でもよい。通信キャビネットの背後から多ジャックアセンブリのラベルが見えるように、アセンブリの背後からそのラベルが見えることが好ましい。
【００２５】
用途によっては、例えば、Ｃａｔ６のケーブルを用いる場合、ケーブル束中に単体ケーブルを設けて異質のクロストークを低減させることが望ましいことがある。例えば、歪み逃がし部材の周囲にＡ−Ｂ、Ａ−Ｂ、Ａ−Ｂの順にケーブルを敷設することが望ましい場合がある。
【００２６】
ここで図６を参照すると、構造的ケーブル配線システムの多ジャックアセンブリから遠い方の端部の構成の代替例が示されている。図２に示す構成の代わりに図６に示す構成を用いてもよい。図６の構成では、六個の単体ジャック２０Ａ〜２０Ｆは、それぞれ、従来のＩＤＣコネクタを用いて、歪み逃がし部材２２の周囲に敷設されたデータケーブル２１Ａ〜２１Ｆに接続されている。データケーブル２１Ａ〜２１Ｆおよび歪み逃がし部材２２は共に複合ケーブル２３を形成する。単体ジャック２０Ａ〜２０Ｆは保護筐体２４に搭載され、保護筐体２４はデータケーブル２１Ａ〜２１Ｆとそれぞれのジャック２０Ａ〜２０Ｆとの終端接続を保護する。保護筐体２４は、適宜のクランプ２５によって、複合ケーブル２３に機械的に固定されている。歪み逃がし部材２２を保護筐体２４に直接固定することが好ましい。その結果、保護筐体２４を把持し引っ張ることによって、ケーブル２３に引張力を印加することができる。歪み逃がし部材２２と保護筐体２４との接続およびクランプ２５によって、データケーブル２１Ａ〜２１Ｆと単体ジャック２０Ａ〜２０Ｆとの個々の接続は上記のような引張力から分離されている。図６の構成の場合、ケーブル配線システムを目的の位置まで引くと、ジャック２０Ａ〜２０Ｆおよび保護筐体２４が、一つの装置として、適宜のハウジング、例えば、適宜の床のボックスにスナップ嵌合される。このスナップ嵌合を行うために、スナップ嵌合ラッチ２６を単体ジャック／保護筐体アセンブリの一部として設けることが好ましい。
【００２７】
実施形態の代替例（図示せず）において、ケーブルの多ジャックアセンブリから遠い方の端部はジャックに終端接続されていない。したがって、供給された構造的ケーブル配線システムは複数のケーブルを備え、各ケーブルは多ジャックアセンブリに終端接続され、これらのケーブルは歪み部材と束になり、そのケーブル束を所望の位置に引き込むことができる。このような構成の場合、現場で個々の終端接続を行う必要があるが、このような終端接続は、データケーブルの通信キャビネットや通信室から遠い方の端部に限られる。
【００２８】
実施形態のさらに別の代替例において、ケーブルの両端部は、互いにほぼ同じ多ジャックアセンブリに終端接続されている。多ジャックアセンブリが両方とも、図１に示す形態であることが好ましい。このような構成の場合、多ジャックアセンブリは両方とも、同じラック構造内または互いに異なるラック構造内のそれぞれのハウジングに固定され、場合によっては、互いに異なる通信室内のそれぞれのハウジングに固定されている。このような構成によって、ラックシステム間のデータ接続を非常に高速で行うことができる。
【００２９】
多くの場合、特定の敷設によって決められた特定の長さに各ケーブルアセンブリを製造することが想定される。現地調査や敷設予定地の縮尺図によってこのような特定の長さを決定することができる。しかしながら、所定の標準長さの範囲内でケーブルアセンブリを製造できることが想定される。特定の長さに個別に製造する場合よりも所定の標準長さにアセンブリを製造する方が多少経済的であり、また、標準長さのケーブルを特定の敷設に用いることができる場合、個別に製造したケーブルを用いる場合よりも敷設上の問題に対して経済的な解決策を提供できることが予想される。
【００３０】
ここで図７を参照すると、上記システムと共に用いるのに適した通信キャビネットの略図、すなわち、一部が示されている。例示のために、それぞれのハウジング１３に多ジャックアセンブリ１を二つだけ取り付けた状態を示す。通常の設置では、多数のハウジング１３が設けられ、各ハウジング１３が数個の多ジャックアセンブリを収容することが分かる。さらに、図示の通信キャビネット３０は複数のワイヤグリッド３１を備える。図７にはこのようなグリッド３１を一つしか示していないが、一般に、通信キャビネットの両側面３２、３３がこのようなグリッドを備えることが分かる。さらに、キャビネットの中央部に中間グリッドを設けてもよい。グリッド３１は、図示の構造的ケーブル配線システムのデータケーブル３４の位置決めを行うのに便利な手段を提供する。このために、（例えば、スナップ嵌合によって）グリッドに専用クリップ３５を固定し、データケーブル３４を収容するクリップ構造を提供することができる。適宜、各クリップ３５は、一つの構造的ケーブル配線システムのデータケーブルを収容するように構成されているクリップ部を一つ以上備えることができる。このようなグリッドとクリップとを備える構成を用いることによって、通信キャビネット３０内のケーブルの管理を迅速かつ容易に行うことができる。通信キャビネット内のケーブルをさらに局所的に制限する必要がある場合、または、上記構造的ケーブル配線システム以外のケーブル配線を備えるように通信キャビネットを構成する場合、グリッド３１は便利な手段を提供することによって、クリップやケーブル結束によってケーブルを固定することができる。
【００３１】
特に銅ケーブル配線の構成を参照して本発明を説明してきたが、光ファイバシステムが必要な場合、本発明の原理を光ファイバの構成に適用できることは分かるであろう。
【図面の簡単な説明】
【００３２】
【図１】複数のデータケーブルが接続された多ジャックアセンブリの斜視図であり、分かりやすくするためにアセンブリのケーシングの一部を取り外した状態を示す図である。
【図２】複合データケーブルに接続され、保護筐体の基部の内部に取り付けられた複数の単体ジャックを示し、分かりやすくするために保護筐体の上部を省略している図である。
【図３】本発明のシステムと共に用いられるクリップを示す図である。
【図４】ハウジングに取り付けられた多ジャックアセンブリを示す図である。
【図５】図４の線Ｘ−Ｘに沿った断面図である。
【図６】ケーブル配線システムの多ジャックアセンブリから遠い方の端部の構成の代替例を示す図である。
【図７】図１〜６の構成と共に用いられる通信キャビネットを示す図である。
【図１】
0004487193.tif 000002
【図２】
0004487193.tif 000003
【図３】
0004487193.tif 000004
【図４】
0004487193.tif 000005
【図５】
0004487193.tif 000006
【図６】
0004487193.tif 000007
【図７】
0004487193.tif 000008